(57)【特許請求の範囲】
【請求項１】
スケジュールのイベント内容とイベント時間情報とアラーム時間情報とを対応付けて記憶するスケジュールデータ記憶手段と、
ＵＲＬ（uniform resource locator）情報の指定によって、インターネットから該当するホームページデータを取得して表示部に表示させるホームページ閲覧手段と、
前記ホームページ閲覧手段によりホームページを表示しているときにユーザからの登録指示があると、前記スケジュールデータ記憶手段が記憶しているスケジュールイベントの一覧表示を行って、ユーザに１つのスケジュールイベントを選択させ、この選択されたイベントに対応して表示中のホームページに係るＵＲＬ情報を登録する登録手段と、
前記スケジュールデータ記憶手段に記憶されているスケジュールイベントにＵＲＬ情報が登録されている場合は、当該イベントのアラームを通知する際にＵＲＬが付いていることを示す表示を行い、この表示に応答して所定の操作がユーザによって行われると当該ＵＲＬに基づくホームページを前記ホームページ閲覧手段によって表示させるアラーム処理手段とを備えたことを特徴とする情報機器。
【請求項２】
前記アラーム処理手段により表示されたホームページが提供するサービスをユーザが利用した場合、前記スケジュールデータ記憶手段に記憶された同様の他のスケジュールに対して、同じＵＲＬ情報を登録する制御手段を備えたことを特徴とする請求項１記載の情報機器。
【発明の詳細な説明】
【０００１】
【発明の属する技術分野】
本発明は、ホームページを閲覧する機能を有する情報機器に関する。
【０００２】
【従来の技術】
近年、パーソナルコンピュータ等の情報機器の普及に伴い、大学や研究機関だけに限らず、一般家庭などにおいてもインターネットが広く利用され始めている。インターネット上では、各種のサービスや機能を利用することができるか、その中の一つにＷＷＷ（World Wide Web）がある。ＷＷＷでは、ＷＷＷ検索ソフト（ＷＷＷブラウザ（以下、単にブラウザと称する））を利用し、ＵＲＬ（uniform resource locator）を指定することで所望のＷＷＷサーバに接続し、ＷＷＷサーバに蓄積されたデータ、いわゆるホームページを閲覧することができる。この明細書の中では、ホームページとは、ネットワーク上に公開される所定形式の情報を意味し、ＵＲＬは特定の情報を指定する識別子を意味するものとする。ホームページでは、テキスト以外に、画像や音声，動画などの各種データにより、様々な情報が提供されている。さらに、ホームページには、様々な商品（本、ＣＤ、衣料、食品、花、貴金属、バッグなど）を販売する、いわゆるオンラインショッピングサービスを提供しているものもある。
【０００３】
また、ホームページには、他のホームページなど各種情報への飛び先（リンク）が用意されており、リンクを指定するだけで他の情報を参照することができる。このリンクを次々に指定することで、インターネットのＷＷＷページ（ホームページ等）を次々と見て回る、いわゆるネットサーフィンを行なうことができる。
【０００４】
一般に、ブラウザには、閲覧中のホームページのＵＲＬ情報を、任意に登録する機能（以下、登録機能と称する）が設けられている。この登録機能を用いてＵＲＬ情報を登録しておくことで、登録したＵＲＬ情報の一覧を表示させ、その中からＵＲＬ情報を選択することによって、選択したＵＲＬ情報が示すホームページを直接的に閲覧することができる。
【０００５】
従って、ネットサーフィンなどによって様々なホームページを閲覧し、興味を持ったホームページがあれば任意に登録しておくことで、後日、改めてこのホームページを閲覧する際の操作手順を非常に簡単にすることができる。
【０００６】
【発明が解決しようとする課題】
このように従来の情報機器では、ブラウザを利用することによってインターネット上のホームページを任意に閲覧し、各種情報の提供やサービスの提供を受けることができる。また、登録機能を用いることで、任意のタイミングで特定のホームページを閲覧することができる。
【０００７】
しかしながら、特定のホームページによって、有用な各種情報の提供やサービスの提供を受けられることを知っていても、それらがどのような時、状況、対象等に対して有用であるかは、利用者が別途、記憶しておかなければならなかった。
【０００８】
例えば、ホームページによって提供されるオンラインショッピングサービスを特定の時期に利用しようとする場合、利用者がその時期を憶えておき、その時期になった時に、情報機器においてブラウザを起動し、ブラウザから登録機能によって以前に登録しておいたＵＲＬ情報を一覧中から選択することで、利用しようとするホームページを閲覧することができる。従って、利用者が、サービスの提供を受けようとする時期を忘れてしまった場合には、ブラウザに登録機能が設けられていても有効に活用できなくなってしまう。
【０００９】
すなわち、従来の情報機器において、ホームページを利用した各種情報の提供やサービスの提供を有効に活用するためには、利用者がホームページを利用する時、状況、対象等を記憶しておくといった負担を負わなければならなかった。
【００１０】
本発明は、前記のような問題に鑑みなされたもので、利用者に負担を強いることなく、インターネット上のホームページによって提供される各種情報やサービスを有効に活用することが可能な情報機器を提供することを目的とする。
【００１１】
【課題を解決するための手段】
本発明に係る情報機器は、スケジュールのイベント内容とイベント時間情報とアラーム時間情報とを対応付けて記憶するスケジュールデータ記憶手段と、ＵＲＬ（uniform resource locator）情報の指定によって、インターネットから該当するホームページデータを取得して表示部に表示させるホームページ閲覧手段と、前記ホームページ閲覧手段によりホームページを表示しているときにユーザからの登録指示があると、前記スケジュールデータ記憶手段が記憶しているスケジュールイベントの一覧表示を行って、ユーザに１つのスケジュールイベントを選択させ、この選択されたイベントに対応して表示中のホームページに係るＵＲＬ情報を登録する登録手段と、前記スケジュールデータ記憶手段に記憶されているスケジュールイベントにＵＲＬ情報が登録されている場合は、当該イベントのアラームを通知する際にＵＲＬが付いていることを示す表示を行い、この表示に応答して所定の操作がユーザによって行われると当該ＵＲＬに基づくホームページを前記ホームページ閲覧手段によって表示させるアラーム処理手段とを備えたことを特徴とする。
【００１２】
また、前記アラーム処理手段により表示されたホームページが提供するサービスをユーザが利用した場合、前記スケジュールデータ記憶手段に記憶された同様の他のスケジュールに対して、同じＵＲＬ情報を登録する制御手段を備えたことを特徴とする。
【００１７】
【発明の実施の形態】
以下、図面を参照して本発明の実施の形態について説明する。
図１は本発明の実施の形態に係わる情報機器の電子回路の構成を示すブロック図である。本情報機器は、各種の記録媒体に記録されたプログラムコードを読み込み、この読み込んだプログラムコードによって動作が制御されるコンピュータによって構成される。
【００１８】
図１に示すように、情報機器は、ＣＰＵ１０、入力装置１２、ＲＡＭ１４、表示装置１６、通信装置１８、及び記憶装置２０によって構成されている。
ＣＰＵ１０は、装置全体の制御を司るもので、入力装置１２からのキー操作信号に応じて、ＲＡＭ１４に記憶されているプログラムを起動させ、このプログラムに従って個人情報管理機能、ホームページの閲覧機能等を実行する。ＣＰＵ１０は、記憶装置２０によって記憶媒体２０ａに記録されているプログラムコードを読み込み、ＲＡＭ１４に記憶させて実行することができる。
【００１９】
入力装置１２は、情報機器の動作を規定する指示やデータを入力するもので、キーボードやマウス等のポインティングデバイスによって構成される。
ＲＡＭ１４は、情報機器全体の制御を司るシステムプログラム、各種機能に対応した制御処理プログラムの他、個人情報機能によって管理される各種のデータが必要に応じて記憶される。
【００２０】
表示装置１６は、個人情報管理機能やホームページ閲覧機能等を実行する際に、各種データの内容を表示する場合などに用いられる。
通信装置１８は、ホームページ閲覧機能によってインターネットを介してホームページを閲覧する場合に外部との通信を行なう。
【００２１】
記憶装置２０は、プログラム、データ等が予め記録されている記憶媒体２０ａを有しており、この記憶媒体２０ａは磁気的、光学的記憶媒体、もしくは半導体メモリで構成されている。記憶媒体２０ａは、記憶装置に固定的に設けたもの、もしくは着脱自在に装着するものである。また、記憶媒体２０ａに記憶すされるプログラム、データ等は、通信回線２０ｂ等を介して接続された他の機器から受信して記憶する構成にしても良く、さらに、通信回線２０ｂ等を介して接続された他の機器側に記憶媒体を備えた記憶装置を設け、この記憶媒体に記憶されているプログラム、データを通信回線を介して使用する構成にしても良い。
【００２２】
次に、前述した電子回路によって実現される機能構成について説明する。図２は、本実施形態における情報機器の個人情報管理機能、及びホームページ閲覧機能に関係する機能構成を示すブロック図である。
【００２３】
図２に示すように情報機器には、ブラウザ３０、ＰＩＭ（personal information manager）３２、及び登録機能３３が設けられている。
ブラウザ３０は、ホームページ閲覧機能を実現するためのもので、入力装置１２から任意に指定されたＵＲＬ情報、あるいはＰＩＭ３２によって管理されているデータ（個人情報）に関連付けられたＵＲＬ情報をもとにホームページデータを取得し、表示装置１６においてホームページを表示させる。
【００２４】
ＰＩＭ３２は、個人情報管理機能を実現するためのもので個人情報を所定の情報単位で管理する。ＰＩＭ３２には、例えばスケジュール管理部３４、メモ管理部３６、住所録管理部３８などの機能が設けられている。
【００２５】
スケジュール管理部３４は、イベントの内容と、そのイベントの日時等を対応付けて情報単位とし、スケジュールデータ４０として登録する機能である。本実施形態では、スケジュールデータ４０の情報単位に対して、後述する登録機能３３によって関係付けられたＵＲＬ情報を添付エリアに付加することができる。また、スケジュール管理部３４では、情報単位に対してアラーム時刻を任意に設定し、アラーム時刻が示す日時となった時に所定の通知を行なうアラーム機能が設けられている。本実施形態では、情報単位に対してＵＲＬ情報が関係付けられている場合には、アラーム時刻となった時に、関係付けられたＵＲＬ情報をもとに、ＵＲＬ情報が示すホームページを閲覧させる機能が設けられている。
【００２６】
メモ管理部３６は、任意に指定されたデータを情報単位とし、メモデータ４２として登録する機能である。メモ内容となるデータとしては、テキスト以外に、画像や音声，動画などのデータであっても良い。本実施形態では、メモデータ４２の情報単位に対して、後述する登録機能３３によって関係付けられたＵＲＬ情報を添付エリアに付加することができる。
【００２７】
住所録管理部３８は、個人や組織などの名称と、住所、電話番号、電子メールアドレス、会社名など、各種の情報を対応付けて情報単位とし、住所録データ４４として登録する機能である。本実施形態では、住所録データ４４の情報単位に対して、後述する登録機能３３によって関係付けられたＵＲＬ情報を添付エリアに付加することができる。
【００２８】
登録機能３３は、ブラウザ３０によって閲覧されているホームページを示すＵＲＬ情報を、ＰＩＭ３２によって管理される情報単位に関係付けるもので、スケジュール管理部３４、メモ管理部３６、住所録管理部３８によってそれぞれ管理されている、スケジュールデータ４０、メモデータ４２、住所録データ４４中の各種データの情報単位に対してＵＲＬ情報を対応付けて登録する。
【００２９】
次に、前述した構成による情報機器の動作について説明する。
はじめに、ブラウザ実行処理（ブラウザを用いたホームページの閲覧処理）について説明する。図３は、情報機器によるブラウザ実行処理を示すフローチャートである。図３に記載した各処理を実現するプログラムは、ＣＰＵが読み取り可能なプログラムコードの形態で、例えば記憶媒体２０ａに記録されて提供される。
【００３０】
まず、ＣＰＵ１０は、ブラウザ３０の実行が指示されると、ＲＡＭ１４に格納されたブラウザのプログラムを実行してブラウザ３０を起動させる。
起動されたブラウザ３０は、ＵＲＬ情報の指定によってホームページへのアクセス実行が要求されると、通信装置１８を介してインターネットに接続し、指定されたＵＲＬ情報が示すホームページデータを取得する（ステップＡ１）。
【００３１】
ブラウザ３０は、取得したホームページデータ（ＨＴＭＬ文書）をもとにして、表示装置１６においてホームページを表示させる（ステップＡ２）。ここで、ページ変更の指示があった場合には（ステップＡ４）、ブラウザ３０は、指定されたページ（Ｗｅｂページ）のホームページデータをインターネットを介して取得し、表示装置１６において表示させる（ステップＡ２）。
【００３２】
こうして、ホームページの他のページ、あるいはホームページに設けられた他のホームページへのリンクの指定によって、任意のホームページ、Ｗｅｂページを閲覧することができる（いわゆる、ネットサーフィン）。その間に、有用な各種情報の提供やサービスの提供を受けられるホームページを見つけた場合には、ブラウザ３０に用意されたコマンドの選択によって、次のようにして該当するホームページのＵＲＬ情報を、ＰＩＭ３２が扱うデータと関係付けて登録しておくことができる。
【００３３】
すなわち、ホームページ（Ｗｅｂページ）が表示された状態で、ホームページ（ＵＲＬ情報）の登録の実行が指示されると（ステップＡ３）、ブラウザ３０は、保管モード選択メニューを表示させ、この保管モード選択メニューから選択されたモードに応じてＵＲＬ情報を登録することができる（ステップＡ５，Ａ６）。
【００３４】
図４には、保管モード選択メニューが表示された状態のブラウザ表示画面の一例を示している。図４に示す例は、ＵＲＬ情報「ｗｗｗ：／／ｘｙｚ．ｃｏ．ｊｐ」が示すホームページが表示された状態で、ブラウザ３０のメニューに設けられた登録ボタン５０が指示され、保管モード選択メニュー５２が表示された状態を示している。このＵＲＬ情報「ｗｗｗ：／／ｘｙｚ．ｃｏ．ｊｐ」が示すホームページでは、例えば指定された日に、指定された商品をプレゼントとして発送するオンラインショッピングのサービスを提供しているものとする。
【００３５】
図４に示すように、保管モード選択メニュー５２には、「スケジュール」「メモ」「住所録」「一般」の各モードを選択する項目が設けられている。
「スケジュール」は、スケジュール管理部３４によって扱われるスケジュールデータ４０に、ＵＲＬ情報を関連づけて登録するモードを示し、「メモ」は、メモ管理部３６によって扱われるメモデータ４２に、ＵＲＬ情報を関連づけて登録するモードを示し、「住所録」は、住所録管理部３８によって扱われる住所録データ４４に、ＵＲＬ情報を関連づけて登録するモードを示している。また、「一般」は、ブラウザ３０において簡単に指定できるようにＵＲＬ情報を登録する通常の登録モードを示している。
【００３６】
例えば、図４に示す保管モード選択メニュー５２において、「スケジュール」が選択されたものとする（ステップＡ６）。
この場合、ブラウザ３０は、ＰＩＭ３２のスケジュール管理部３４を起動させ、スケジュールデータ４０に登録されたデータを提示するためのスケジュール画面を表示させる（ステップＡ７）。図５には、ブラウザ表示画面中にスケジュール表示された状態の一例を示している。
【００３７】
スケジュール表示では、イベントの内容と、そのイベントの日時とが対応付けられ情報単位として表示されている。このスケジュール表示に対しては、入力装置１２（マウスなどのポインティングデバイス）の操作によって移動されるポインタ５４によって、ＵＲＬ情報の関係付けの対象となる情報単位を指定することができる。
【００３８】
すなわち、ネットサーフィンによって閲覧した複数のホームページの中で、有用なサービスを提供しているホームページがあった場合に、このホームページが提供しているサービスを利用するイベントの内容をスケジュール表示中から選択することで、ホームページを示すＵＲＬ情報をイベント内容に関係付けることができる。
【００３９】
ブラウザ３０は、スケジュール表示においてイベント内容が指定されると、指定されたイベント内容に対するＵＲＬ情報の関係付けを登録機能３３に通知する。登録機能３３は、ブラウザ３０からの通知に応じて、例えば図６に示すように、スケジュールデータ４０中の指定されたスケジュールの内容に対応して、添付エリアにＵＲＬ情報を登録する（ステップＡ８）。
【００４０】
例えば、図４に示すような、プレゼントを贈るのに適したホームページを見つけた時に、このホームページが提供するサービスによってプレゼントを送るイベントとして、図５中の「葵ちゃんの誕生日」を選択することで、図６に示すように、スケジュール内容「葵ちゃんの誕生日」の添付エリアにＵＲＬ情報「ｗｗｗ：／／ｘｙｚ．ｃｏ．ｊｐ」が登録される。
【００４１】
なお、スケジュール管理部３４の機能の一つとして、アラーム機能が設けられている。アラーム機能は、スケジュール内容（イベントの内容）に対してアラームを通知すべき月日時刻が指定されると、この月日時刻に到達した時に所定の通知（スケジュールアラーム）を出力する機能である。
【００４２】
図６に示す例では、スケジュール内容「葵ちゃんの誕生日」に対して、アラーム時刻「１０／２１」（時刻を省略している）が指定された状態を示している。このスケジュールアラームの詳細については後述する。
【００４３】
また、スケジュール表示において、前述のような操作によってＵＲＬ情報が関係付けられたスケジュール内容に対しては、ＵＲＬ情報が関係付けられていることを示す所定の添付マークが付加される。図５に示す例では、１０月２５日の予定の「パーティ」に対して、添付マーク５６が付加され、何れかのホームページを示すＵＲＬ情報が付加されていることを示している。この添付マーク５６に対する操作については後述する。
【００４４】
こうして保管モード選択メニュー５２を用いた登録が完了すると、ブラウザ３０は、ホームページを表示する状態に戻る（ステップＡ１４，Ａ１，Ａ２）。
一方、保管モード選択メニュー５２おいて、「メモ」が選択されたものとする（ステップＡ６）。
【００４５】
この場合、ブラウザ３０は、ＰＩＭ３２のメモ管理部３６を起動させ、メモデータ４２に登録されたデータを提示するためのメモ画面を表示させる（ステップＡ９）。
【００４６】
メモ表示では、入力済みのメモ内容が情報単位として一覧表示される。あるいは新規メモ入力用の画面が表示されても良い。このメモ表示に対しては、一覧表示されている場合には、「スケジュール」の場合と同様にして、入力装置１２の操作によってＵＲＬ情報の関係付けの対象となる情報単位を指定することができる。
【００４７】
すなわち、ネットサーフィンによって閲覧した複数のホームページの中で、メモ内容に関連する有用な情報を提供しているホームページがあった場合に、このホームページが提供している情報と関連するメモ内容を一覧中から選択することで、ホームページを示すＵＲＬ情報をメモ内容に関係付けることができる。
【００４８】
ブラウザ３０は、メモ表示においてメモ内容が指定されると、指定されたメモ内容に対するＵＲＬ情報の関係付けを登録機能３３に通知する。登録機能３３は、ブラウザ３０からの通知に応じて、例えば図７に示すように、メモデータ４２中の指定されたメモ内容に対応して、添付エリアにＵＲＬ情報を登録する（ステップＡ１０）。
【００４９】
例えば、「インフルエンザの予防方法」に関するメモ内容が登録されている場合（図８）、インフルエンザに関する情報を提供しているホームページを見つけた時に、このホームページが提供する情報に関係付けるメモ内容として、「インフルエンザの予防方法」のメモ内容を選択することで、図７に示すように、メモ内容「インフルエンザの予防方法」の添付エリアにＵＲＬ情報「ｗｗｗ：／／ＡＢＣ．ｃｏ．ｊｐ」が登録される。
【００５０】
また、メモ表示において、前述のような操作によってＵＲＬ情報が関係付けられたメモ内容に対しては、図８に示すように、メモ内容を表示するメモ表示画面中にＵＲＬ情報が関係付けられていることを示す所定の添付マーク６２が付加される。この添付マーク６２に対する操作については後述する。
【００５１】
こうして保管モード選択メニュー５２を用いた登録が完了すると、ブラウザ３０は、ホームページを表示する状態に戻る（ステップＡ１４，Ａ１，Ａ２）。
また、保管モード選択メニュー５２おいて、「住所録」が選択されたものとする（ステップＡ６）。
【００５２】
この場合、ブラウザ３０は、ＰＩＭ３２の住所録管理部３８を起動させ、住所録データ４４に登録されたデータを提示するための住所録画面を表示させる（ステップＡ１１）。
【００５３】
住所録表示では、個人や組織などの名称と、住所、電話番号、電子メールアドレス、会社名など、各種の情報を対応付けて情報単位として一覧表示される。この住所録表示に対しては、「スケジュール」の場合と同様にして、入力装置１２の操作によってＵＲＬ情報の関係付けの対象となる情報単位（特定の住所録の内容）を指定することができる。
【００５４】
すなわち、ネットサーフィンによって閲覧した複数のホームページの中で、住所録の内容に関連する有用な情報を提供しているホームページがあった場合に、このホームページが提供している情報と関連する住所録の内容を一覧中から選択することで、ホームページを示すＵＲＬ情報を住所録の内容と関係付けることができる。例えば、住所録中に、勤務先（会社名）を示す項目が設けられている場合に、住所録に勤務先として登録されている会社が提供しているホームページを住所録の内容に関係付ける場合などがある。
【００５５】
ブラウザ３０は、住所録表示において特定の住所録の内容が指定されると、指定された住所録の内容に対するＵＲＬ情報の関係付けを登録機能３３に通知する。登録機能３３は、ブラウザ３０からの通知に応じて、例えば図９に示すように、住所録データ４４中の指定された住所録の内容に対応して、添付エリアにＵＲＬ情報を登録する（ステップＡ１２）。
【００５６】
例えば、氏名「ＢＢＢＢ」に関する住所録が登録されている場合（図１０）、住所録に勤務先として登録されている会社が「ＡＡＡ商事」であって、この「ＡＡＡ商事」に関係するホームページ（ＵＲＬ情報「ｗｗｗ：／／ＡＡＡ．ｃｏｍ」によって示す）を見つけた時に、氏名「ＢＢＢＢ」に対応する住所録を選択することで、図９に示すように、氏名「ＢＢＢＢ」に対応する住所録の添付エリアにＵＲＬ情報「ｗｗｗ：／／ＡＡＡ．ｃｏｍ」が登録される。
【００５７】
また、住所録表示において、前述のような操作によってＵＲＬ情報が関係付けられた住所録の内容に対しては、図１０に示すように、住所録を表示する住所録表示画面中にＵＲＬ情報が関係付けられていることを示す所定の添付マーク６４が付加される。この添付マーク６４に対する操作については後述する。
【００５８】
こうして保管モード選択メニュー５２を用いた登録が完了すると、ブラウザ３０は、ホームページを表示する状態に戻る（ステップＡ１４，Ａ１，Ａ２）。
なお、保管モード選択メニュー５２において、「一般」が選択された場合には、ブラウザ３０は、現在表示中のホームページのＵＲＬ情報を、「お気に入り」として所定の記憶領域に保存しておく。この「一般」によって登録されたＵＲＬ情報は、ブラウザ３０に用意されたコマンドの選択によって一覧表示され、「お気に入り」のホームページとして一覧表示される。その一覧表示からＵＲＬ情報が選択されると、ブラウザ３０は、選択されたＵＲＬ情報が示すホームページに、直接的にアクセスして閲覧させる。
【００５９】
こうして、ブラウザ３０によってホームページを閲覧している時に、登録ボタン５０に対する指示によって提示される保管モード選択メニュー５２を用いて、ＰＩＭ３２の機能（スケジュール管理部３４、メモ管理部３６、住所録管理部３８）によって扱われるデータと関係付けて、ＵＲＬ情報を登録することができる。
【００６０】
次に、前述のようにして、ＰＩＭ３２の機能によって扱われるデータと関係付けられたＵＲＬ情報の利用について、スケジュール管理部３４の動作を用いて説明する。図１１は、スケジュール管理部３４によるスケジュール機能の動作を示すフローチャートである。
【００６１】
スケジュール管理部３４は、アラーム機能が起動されており、例えば図６に示すように、スケジュール内容「葵ちゃんの誕生日」についてアラーム時刻が指定されているものとする。
【００６２】
スケジュール管理部３４は、スケジュールデータ４０の情報単位に対して任意に設定されているアラーム時刻のうち、最も現在に近いものを当面のスケジュールアラームの対象とするアラーム時刻としてアラーム時刻エリアに設定している。スケジュール管理部３４は、現在の時刻が、このアラーム時刻エリアに設定されたアラーム時刻に到達したかを常時監視している（ステップＢ１）。
【００６３】
スケジュール管理部３４は、アラーム時刻に到達したことを検出すると、指定された月日時刻となったことを通知するためのスケジュールアラームを表示させる（ステップＢ２）。
【００６４】
図１２には、スケジュールアラームが表示されたスケジュール表示画面の一例を示している。図１２に示すスケジュールアラームでは、スケジュール内容「葵ちゃんの誕生日」と、スケジュール内容に対応する日付までの日数の通知「あと７日」を表示することで、スケジュールの内容が登録されていることを明示的に通知する。
【００６５】
ここで、スケジュール管理部３４は、スケジュールアラームの対象となったスケジュール内容に対応して、添付エリアにＵＲＬ情報が登録されているか否かを判別し、ＵＲＬ情報が登録されている場合には、図１２中に示すように添付マーク６６を付加してスケジュールアラームを表示する。
【００６６】
スケジュールアラームに対して確認指示があった場合、スケジュール管理部３４は、スケジュールアラームの表示を終了する（ステップＢ３）。
一方、図１２に示すように、スケジュールアラームに添付マーク６６が付加されている場合に、添付マーク６６に対する操作（例えばポインティングデバイスによる選択指示）があると（ステップＢ４）、スケジュール管理部３４は、ブラウザ３０を起動し、現在、スケジュールアラームの対象となっているスケジュールデータに付加された添付エリアのＵＲＬ情報を、スケジュールデータ４０から読み出して提供する。ブラウザ３０は、スケジュール管理部３４によってＵＲＬ情報が提供されると、通信装置１８を介してインターネットに接続し、ＵＲＬ情報が示すホームページにアクセスする（ステップＢ５）。
【００６７】
ブラウザ３０は、ＵＲＬ情報が示すホームページからホームページデータを取得し、スケジュールに添付されたホームページ（添付ホームページ）として表示させる（ステップＢ６）。
【００６８】
この添付ホームページは、スケジュール内容（「葵ちゃんの誕生日」）に有効であるとして登録されていたホームページである。この場合では、誕生日のプレゼントを贈るために、ホームページが提供するサービスを利用することができる。
【００６９】
表示された添付ホームページでは、例えばプレゼントの購入者（申込者）名、プレゼント商品、届け先の相手の名称及び住所、届け日などの各種情報を設定し、送信することによって、サービスの提供を受けることができる。
【００７０】
データ送信を行わない場合、すなわちホームページが提供するサービスを利用しない場合、ブラウザ３０は、インターネットとの接続を終了する（ステップＢ７）。また、スケジュール管理部３４は、スケジュールアラームの対象となったスケジュールについての処理を終了する。
【００７１】
一方、データ送信があった場合（ステップＢ７）、ブラウザ３０は、指定された各種情報をホームページの提供元であるＷｅｂサイト（サーバ）に送信すると共に、スケジュール管理部３４にデータ送信があったことを通知する。
【００７２】
スケジュール管理部３４は、ブラウザ３０からの通知に応じて、データ送信の対象となったスケジュール内容と同様の（あるいは類似する）スケジュール内容を、スケジュールデータ４０からサーチして求める（ステップＢ８）。前述した例では、スケジュール内容の「誕生日」をキーワードにして、その後の日付で登録されているスケジュール内容をサーチして「誕生日」を含む他のスケジュール内容を求める。
【００７３】
図６に示す例では、１２月２５日の日付に「遥ちゃんの誕生日」のスケジュール内容が登録されているため、このスケジュール内容が「葵ちゃんの誕生日」と同様のスケジュール内容として求められる。スケジュール管理部３４は、スケジュールデータ４０からサーチして求められた他のスケジュール内容を提示して、ホームページを添付するか否かを問い合わせる画面を表示させる。
【００７４】
ここで、ホームページを添付する指示があった場合（ステップＢ９）、スケジュール管理部３４は、サーチによって求められた他のスケジュール内容に対応する添付エリアに、データ送信を実際に行ったホームページを示すＵＲＬ情報を登録する。
【００７５】
なお、同様の他のスケジュール内容が複数ある場合、ＵＲＬ情報を添付するスケジュール内容を任意に選択できるようにしても良い。
図６に示す例では、スケジュール内容「遥ちゃんの誕生日」の添付エリアに、スケジュール内容「葵ちゃんの誕生日」の添付エリアに登録されたＵＲＬ情報「ｗｗｗ：／／ｘｙｚ．ｃｏ．ｊｐ」と同じＵＲＬ情報が登録される。
【００７６】
このようにして、ホームページに対してデータ送信を行ない、ホームページが提供するサービスを受けた場合には、実際にスケジュール内容に対して有用であることを示しているので、他の同様のスケジュールについても同じＵＲＬ情報を添付エリアに登録することで、他のスケジュール内容に対しても簡単にホームページが提供する有用なサービスを利用できるようになる。
【００７７】
なお、前述した説明では、スケジュールアラームの表示において付加された添付マーク６６が操作された場合に、ホームページにアクセスするものと説明しているが、スケジュールアラームと同時に、ホームページに自動的にアクセスして閲覧させるようにしても良い。
【００７８】
また、データ送信の対象となったスケジュール内容と同様の（あるいは類似する）スケジュール内容を求めるために、前述のようにしてキーワードをもとにサーチする方法の他に、スケジュール登録時に予め所定の分類をしておき、同じ分類に含まれる他のスケジュール内容の添付エリアに登録するようにもできる。これにより、必ずしもキーワードとする文字列を含まないスケジュール内容に対しても、同じＵＲＬ情報を登録し、ホームページが提供する同じサービスを簡単に利用できるようにする。
【００７９】
さらに、スケジュール管理部３４では、スケジュールアラームの表示において付加される添付マーク６６に対する操作によってでなく、図５に示すような、通常のスケジュール機能実行時のスケジュール表示において、スケジュール内容に付加された添付マーク５６を操作をした場合も、スケジュール内容に対応して登録されたＵＲＬ情報が示すホームページにアクセスすることもできる。この場合では、任意のタイミングでスケジュール内容に関係するホームページが提供するサービスを利用することができる。
【００８０】
同様にして、メモ管理部３６及び住所録管理部３８は、それぞれのデータ表示用の画面において、データに付加された添付マークの操作によって、ＵＲＬ情報が示すホームページにアクセスし、ホームページが提供する情報を参照することができる。
【００８１】
すなわち、メモ管理部３６は、図８に示すように、メモ表示画面において表示した添付マーク６２に対する操作があった場合、表示中のメモの内容の添付エリアに登録されたＵＲＬ情報をもとに、ブラウザ３０を介してホームページデータを取得し、メモ内容に関連する情報を提供するホームページを表示させることができる。
【００８２】
また、住所録管理部３８は、図１０に示すように、住所録表示画面において特定の住所録（図１０では氏名「ＢＢＢＢ」に関する住所録）に対応づけて表示した添付マーク６４に対する操作があった場合、該当する住所録の内容の添付エリアに登録されたＵＲＬ情報をもとに、ブラウザ３０を介してホームページデータを取得し、住所録の内容に関連する情報を提供するホームページを表示させることができる。例えば、住所録に登録された勤務先を示す会社に関連するホームページを閲覧することができる。
【００８３】
また、前述した実施形態では、ホームページを閲覧する場合には、通信装置１８を介してインターネットに接続し、インターネットを介してホームページデータを取得するものとして説明しているが、例えば記憶装置２０（あるいは記憶媒体２０ａ）に記録されたホームページデータを読み出して閲覧するようにしても良い。そして、ホームページを参照して、実際にホームページが提供しているサービスを利用するためにデータ送信を行なう場合に、インターネットに接続する。
【００８４】
このようにして、ＰＩＭ３２において扱われるデータに関連付けて、情報単位毎に有用なホームページを示すＵＲＬ情報を登録し、ＰＩＭ３２の機能（スケジュール管理部３４、メモ管理部３６、住所録管理部３８）から情報単位に関連続けられたＵＲＬ情報を用いて直接的にホームページを閲覧し、ホームページが提供するサービスや情報を利用することができる。
【００８５】
従って、利用者は、有用なサービスや情報を提供するホームページについて、ホームページを利用する時、状況、対象等を記憶しておくといった負担を負う必要がなく、また簡単、かつ有効に利用することが可能となる。
【００８６】
【発明の効果】
以上のように、本発明に係わる情報機器によれば、ホームページを表示しているときにユーザからの登録指示があると、スケジュールイベントの一覧表示を行って、ユーザに１つのスケジュールイベントを選択させ、この選択されたイベントに対応して表示中のホームページに係るＵＲＬ情報を登録するようなるので、スケジュールが示す事項に利用可能なホームページのＵＲＬ情報を関連付けておくことができ、また、当該イベントのアラームを通知する際にはＵＲＬが付いていることを示す表示を行い、この表示に応答して所定の操作がユーザによって行われると当該ＵＲＬに基づくホームページを表示させるので、スケジュール通知時に有用なホームページを直接的に閲覧させることができ、利用者に負担を強いることなく、インターネット上のホームページによって提供される各種情報やサービスを有効に活用することが可能となるものである。
【図面の簡単な説明】
【図１】本発明の実施の形態に係わる情報機器の電子回路の構成を示すブロック図。
【図２】本実施形態における情報機器の個人情報管理機能、及びホームページ閲覧機能に関係する機能構成を示すブロック図。
【図３】情報機器によるブラウザ実行処理を示すフローチャート。
【図４】保管モード選択メニューが表示された状態のブラウザ表示画面の一例を示す図。
【図５】ブラウザ表示画面中にスケジュール表示された状態の一例を示す図。
【図６】スケジュールデータ４０中の指定されたスケジュールの内容に対応して添付エリアにＵＲＬ情報が登録された状態の一例を示す図。
【図７】メモデータ４２中の指定されたメモ内容に対応して、添付エリアにＵＲＬ情報が登録された状態の一例を示す図。
【図８】メモ内容を表示するメモ表示画面中にＵＲＬ情報が関係付けられていることを示す所定の添付マーク６２が付加された状態の一例を示す図。
【図９】住所録データ４４中の指定された住所録の内容に対応して添付エリアにＵＲＬ情報が登録された状態の一例を示す図。
【図１０】住所録を表示する住所録表示画面中にＵＲＬ情報が関係付けられていることを示す所定の添付マーク６４が付加された状態の一例を示す図。
【図１１】スケジュール管理部３４によるスケジュール機能の動作を示すフローチャート。
【図１２】スケジュールアラームが表示されたスケジュール表示画面の一例を示す図。
【符号の説明】
１０…ＣＰＵ
１２…入力装置
１４…ＲＡＭ
１４ａ…住所録データ
１４ｂ…スケジュールデータ
１４ｃ…メモデータ
１６…表示装置
１８…通信装置
２０…記憶装置
３０…ブラウザ
３２…ＰＩＭ
３３…登録機能３３
３４…スケジュール管理部
３６…メモ管理部
３８…住所録管理部
４０…スケジュールデータ
４２…メモデータ
４４…住所録データ
【図１】
0003738339.tif 000002
【図２】
0003738339.tif 000003
【図３】
0003738339.tif 000004
【図４】
0003738339.tif 000005
【図５】
0003738339.tif 000006
【図６】
0003738339.tif 000007
【図７】
0003738339.tif 000008
【図８】
0003738339.tif 000009
【図９】
0003738339.tif 000010
【図１０】
0003738339.tif 000011
【図１１】
0003738339.tif 000012
【図１２】
0003738339.tif 000013